(57)【要約】【課題】蛍光管を用いることなく、街灯を効率的に点灯すること。【解決手段】サーバ１０１が、電柱１０２ごとの発光情報を記憶する発光情報データベース６０２と、発光情報データベース６０２に記憶された発光情報に基づいて、各電柱１０２に対して発光指示情報を送信する送信部６０５と、を備え、電柱１０２が、電力線３０５からの電力の供給によって発光する発光部材１０３と、サーバ１０１から通信線５０６を介して発光部材１０６の発光指示情報を受信する受信部３０１と、受信部３０１によって受信された発光指示情報に基づいて、発光部材１０３を発光させる発光制御部３０２と、を備えたので、サーバ１０１から、点灯箇所の電柱、発光箇所、発光時間、発光位置、発光方向を任意に指示することができる。【選択図】図６
2010244906.tif 000002
【特許請求の範囲】
【請求項１】
電力線と通信線を備え、サーバとネットワークで接続された電柱による街灯システムであって、
前記サーバが、
電柱ごとの発光情報を記憶する記憶手段と、
前記記憶手段に記憶された発光情報に基づいて、各前記電柱に対して発光指示情報を送信する送信手段と、
を備え、
前記電柱が、
電力線からの電力の供給によって発光する発光部材と、
前記サーバから通信線を介して前記発光部材の発光指示情報を受信する受信手段と、
前記受信手段によって受信された発光指示情報に基づいて、前記発光部材を発光させる発光制御手段と、
を備えたことを特徴とする街灯システム。
【請求項２】
前記発光部材は、折り曲げ可能なシート状の部材からなり、前記電柱に巻き付けて固定することを特徴とする請求項１に記載の街灯システム。
【発明の詳細な説明】
【技術分野】
【０００１】
この発明は、電力線と通信線を備え、サーバとネットワークで接続された電柱による街灯システムに関する。
【背景技術】
【０００２】
従来における街灯設備は、通常、蛍光管を利用したものが一般的であり、管球の寿命に限界があることから、地域の自治会などにおいて不灯状況を適宜確認して、その都度電力会社または工事会社へ取り替えの依頼をする必要があった。また、街灯設備は風雨などにさらされていることから、錆などによって当該街灯設備が劣化し、故障や脱落などの危険な状態であってもそのまま放置されるおそれもあった。
【０００３】
また、既設の街灯や電柱などに備え付けた路面標示装置によって路面に光を照射し、光による誘導マークを路面状に形成して歩行者を誘導する技術が開示されている（たとえば下記特許文献１を参照。）。
【０００４】
また、有機ＥＬディスプレイを用いて広告情報を提供する技術が開示されている（たとえば下記特許文献２を参照。）。
【先行技術文献】
【特許文献】
【０００５】
【特許文献１】特許第４０８１５１１号公報
【特許文献２】特開２００５−７０７４０号公報
【発明の概要】
【発明が解決しようとする課題】
【０００６】
しかしながら、上述した従来の技術では、夜間にだけ点灯するように設計された自動点滅器が故障した場合には、夜間でも点灯されないことが生じたり、日中でも点灯状態が継続され、電力を無駄に浪費することになるという問題点があった。このように、従来の街灯設備においては、維持メンテナンスの労力が多大であり、また、電力を浪費してしまう可能性があるという問題点があった。
【０００７】
また、街灯器具は、蛍光管を使用するのが一般的であるので、その形状も蛍光管が収まるサイズとなる。また、内部の防水も完全ではないため、上記サイズから、台風などの強風時には強い風圧にさらされることになる。そのため、器具自体が破損する可能性が高い。また、街灯器具の設置位置や方向によって夜間の照度は同一の電柱下でも均一とはならない。また、一度固定してしまうと、容易にはその設置位置や方向を変更することができないという問題点があった。
【０００８】
また、上記特許文献１，２の技術では、いずれも誘導マークや広告情報を表示することについては記載されているが、ＬＥＤや有機ＥＬディスプレイを街灯として利用することについてはなんらの開示も存在せず、上記課題を解決するものではない。
【０００９】
この発明は、上述した従来技術による問題点を解消するため、蛍光管を用いることなく、効率的に街灯機能を実現することができる街灯システムを得ることを目的とする。
【課題を解決するための手段】
【００１０】
上述した課題を解決し、目的を達成するため、この発明にかかる街灯システムは、電力線と通信線を備え、サーバとネットワークで接続された電柱による街灯システムであって、前記サーバが、電柱ごとの発光情報を記憶する記憶手段と、
前記記憶手段に記憶された発光情報に基づいて、各前記電柱に対して発光指示情報を送信する送信手段と、を備え、前記電柱が、電力線からの電力の供給によって発光する発光部材と、前記サーバから通信線を介して前記発光部材の発光指示情報を受信する受信手段と、前記受信手段によって受信された発光指示情報に基づいて、前記発光部材を発光させる発光制御手段と、を備えたことを特徴とする。
【００１１】
また、この発明にかかる街灯システムは、上記発明において、前記発光部材が、折り曲げ可能なシート状の部材からなり、前記電柱に巻き付けて固定することを特徴とする。
【発明の効果】
【００１２】
この発明にかかる街灯システムによれば、サーバ１０１から、点灯箇所の電柱、発光箇所、発光時間を任意に指示することができる。また、強風による風圧などに耐えることができるという効果を奏する。
【図面の簡単な説明】
【００１３】
【図１】この発明の実施の形態にかかる街灯システムのシステム構成を示す説明図である。
【図２】この発明の実施の形態にかかる街灯システムの電柱の外観を示す説明図である。
【図３】この発明の実施の形態にかかる街灯システムの電柱の機能的構成を示す説明図である。
【図４】この発明の実施の形態にかかる街灯システムの電柱の処理の手順を示すフローチャートである。
【図５】この発明の実施の形態にかかる街灯システムのサーバのハードウエア構成を示す説明図である。
【図６】この発明の実施の形態にかかる街灯システムのサーバの機能的構成を示す説明図である。
【図７】発光情報データベースのデータ構成の一例を示す説明図である。
【図８】この発明の実施の形態にかかる街灯システムのサーバの処理の手順を示すフローチャートである。
【図９】電柱への発光部材の取り付けの内容を示す説明図である。
【図１０】電柱への発光部材の取り付けの内容を示す説明図である。
【図１１】発光部材が取り付けられた電柱の態様を示す説明図である。
【図１２】発光部材が取り付けられた電柱の別の態様を示す説明図である。
【発明を実施するための形態】
【００１４】
以下に添付図面を参照して、この発明にかかる街灯システムの好適な実施の形態を詳細に説明する。
【００１５】
（街灯システムのシステム構成）
図１は、この発明の実施の形態にかかる街灯システムのシステム構成を示す説明図である。図１において、サーバ１０１と、電柱１０２（１０２ａ、１０２ｂ、１０２ｃ）とが、ネットワーク（既設通信網）１００によって接続されている。電柱１０２は、電力線と通信線を備えており、当該通信線を介してネットワーク１００に接続することができる。また、電柱１０２は、発光部材１０３（１０３ａ、１０３ｂ、１０３ｃ）をそれぞれ備えている。
【００１６】
（電柱の構成）
図２は、この発明の実施の形態にかかる街灯システムの電柱の外観を示す説明図である。図２において、電柱１０２には、発光部材１０３が設けられている。発光部材１０３は、電力線（図３の３０５）によって電力が供給される。また２０１は制御ボックスであり、２０２は制御ボックス２０１から電源および発光制御信号を発光部材１０３へ送る配線である。制御ボックス２０１は通信線（図３の３０６）によってネットワーク（既設通信網）１００と接続されている。そして、電柱１０２は、サーバ１０１との情報の送受信をおこない、受信した信号に基づいて、発光部材１０３の発光制御をおこなう。
【００１７】
発光部材１０３は、電流が流れることによって発光する機能を備えた部材であり、具体的にはたとえばＬＥＤや有機ＥＬなどを用いている。また、発光部材１０３は、折り曲げ可能なシート状の部材からなり、電柱１０２に巻き付けて、図示を省略する固定部材（具体的にはバンドなど）によって電柱１０２に固定する。
【００１８】
図３は、この発明の実施の形態にかかる街灯システムの電柱の機能的構成を示す説明図である。図３において、電柱１０２は、発光部材１０３のほか、受信部３０１と、発光制御部３０２と、タイマー３０３を、を含む構成となっている。また、３０５は電力線であり、３０６は通信線である。
【００１９】
受信部３０１は、サーバ１０１から通信線３０６を介して発光部材１０３の発光指示情報を受信する。発光制御部３０２は、受信部３０１によって受信された発光指示情報に基づいて、発光部材１０３を発光させる。タイマー３０３は、発光部材１０３を発光させてからの時間を計時する。そして、発光制御部３０２は、あらかじめ受信部３０１が受信した発光指示情報に含まれる所定時間と比較して、タイマー３０３による計時時間が経過したか否かを判定する。
【００２０】
また、タイマー３０３は現在時刻を計時する。そして、発光制御部３０２は、あらかじめ受信部３０１がサーバ１０１から受信した発光指示情報に含まれる所定時刻と比較して、現在時刻が所定時刻になったかを判定するようにしてもよい。受信部３０１、発光制御部３０２、タイマー３０３は、具体的には、たとえば図示を省略するＣＰＵがメモリに記憶されたプログラムを、実行することによって、その機能を実現する。
【００２１】
図４は、この発明の実施の形態にかかる街灯システムの電柱の処理の手順を示すフローチャートである。図４のフローチャートにおいて、受信部３０１が、サーバ１０１からの発光指示情報を受信したか否かを判断する（ステップＳ４０１）。ここで、発光指示情報を受信するのを待って、受信した場合（ステップＳ４０１：Ｙｅｓ）は、つぎに、発光開始時刻になったか否かを判断する（ステップＳ４０２）。ここで、発光開始時刻になるのを待って、なった場合（ステップＳ４０２：Ｙｅｓ）は、発光処理を実行する（ステップＳ４０３）。
【００２２】
つぎに、発光終了時刻となったか（発光時間が経過したか）否かを判断する（ステップＳ４０４）。ここで、発光終了時刻となった（発光時間が経過した）場合（ステップＳ４０４：Ｙｅｓ）は、発光部材１０３への電力供給をＯＦＦして、発光部材の発光を停止し（ステップＳ４０５）、一連の処理を終了する。なお、発光処理中にあらたな発光指示情報を受信した場合には、最新の発光指示情報に従って発光処理および発光停止処理をおこなうようにするとよい。
【００２３】
（サーバの構成）
図５は、この発明の実施の形態にかかる街灯システムのサーバのハードウエア構成を示す説明図である。図５において、サーバ１０１は、ＣＰＵ５０１と、ＲＡＭ５０２と、ＲＯＭ５０３と、ＨＤ５０４と、ディスプレイ５０５と、Ｉ／Ｆ（インタフェース）５０６と、キーボード５０７と、ポインティングデバイス５０８と、プリンタ５０９と、スキャナ５１０と、を備えている。そして、上記各構成部はバス５００によってそれぞれ接続されている。
【００２４】
ＣＰＵ５０１は、サーバ１０１全体の制御を司る。ＲＡＭ５０２は、ＣＰＵ５０１のワークエリアとして使用される。ＲＯＭ５０３は、ブートプログラムなどのプログラムを記憶している。ＨＤ５０４は、各種の情報（データ、プログラムなど）を記憶する。ディスプレイ５０５は、文書、画像、機能情報などのデータを表示する。たとえば、ＴＦＴ液晶ディスプレイのほか、ＣＲＴ、プラズマディスプレイや有機ＥＬディスプレイなどであってもよい。
【００２５】
Ｉ／Ｆ（インタフェース）５０６は、通信回線を通じてネットワーク１００に接続され、ネットワーク１００を介して、電柱１０２を含む他の情報処理装置、各種データベースなどに接続される。そして、Ｉ／Ｆ５０６は、ネットワーク１００と装置内部とのインタフェースを司り、他の情報処理装置、各種データベースからのデータの入出力を制御する。Ｉ／Ｆ５０６は、たとえばモデムやＬＡＮアダプタなどである。またＩ／Ｆ５０６は、ＵＳＢや外付けハードディスクなどの外部記憶手段への入出力制御をする機能を備えていてもよい。
【００２６】
図６は、この発明の実施の形態にかかる街灯システムのサーバの機能的構成を示す説明図である。図６において、サーバ１０１は、入力部６０１と、発光情報データベース６０２と、抽出部６０３と、発光指示情報生成部６０４と、送信部６０５と、を含む構成となっている。
【００２７】
入力部６０１は、各電柱１０２の発光情報の入力を受け付けて、発光情報データベース６０２に記憶する。たとえば入力部６０１は、顧客からの発光要求の電話などに基づいてオペレータが入力したり、またインターネットなどで送られてきた発光要求を受信して、発光情報データベース６０２に記憶したりする。入力部６０１は、具体的には、たとえば図５に示したキーボード５０７、ポインティングデバイス５０８、Ｉ／Ｆ５０６などによってその機能を実現することができる。
【００２８】
発光情報データベース６０２は、各電柱１０２の発光部材１０３の発光に関する情報を記憶する。図７は、発光情報データベースのデータ構成の一例を示す説明図である。発光情報データベース６０２は、具体的には、たとえば、図５に示したＨＤ５０４によってその機能を実現することができる。また発光情報データベース６０２は、図示を省略する他の情報処理装置内に、ネットワーク１００を介してアクセス可能に設けられていてもよい。
【００２９】
図７において、発光情報データベース６０２には、電柱１０２ごとに、電柱１０２に一意に設定された電柱ＩＤ（電柱番号）と、当該電柱１０２が設置されている所在地（住所、緯度経度情報など）と、発光部材１０３（複数ある場合は、それぞれ）の発光開始日時と、発光時間（または発光終了日時）と、発光方法などを含む各種情報が記憶されている。
【００３０】
発光開始日時欄には、「２００９年１月２３日１７時３５分」と記憶されていてもよく、「毎日１８時０５分」と記憶されていてもよい。発光時間欄は、「８時間１５分」と記憶されていてもよく、「２００９年１月２４日５時４８分」と記憶されていてもよい。発光方法欄には、発光する際の明るさ、発光色、発光のさせ方（全灯、点滅など）に関する情報が記憶されている。
【００３１】
また、発光部材１０３がディスプレイである場合に、文字や画像を表示することができる。したがって、発光方法欄には、表示する文字や画像情報を記憶するようにしてもよい。これによって、発光部材１０３を用いて、広告表示装置としてまたは案内板としての機能を発揮させることもできる。
【００３２】
抽出部６０３は、発光情報データベース６０２から、発光情報を所定の時刻に抽出する。また抽出部６０３は、発光情報データベース６０２の発光開始日時欄の発光開始日時情報を検索し、発光日時が所定の時間以内のもののみを抽出するようにしてもよい。抽出部６０３は、具体的には、たとえば図５に示したＲＡＭ５０２、ＲＯＭ５０３、ＨＤ５０４などの記憶手段に記憶されたプログラムをＣＰＵ５０１が実行することによってその機能を実現することができる。
【００３３】
発光指示情報生成部６０４は、抽出部６０３によって抽出された発光情報に基づいて、発光指示情報を生成する。発光指示情報は、具体的には、電柱１０２ごとに発光開始日時、発光時間（または発光終了日時）、および発光方法に関する情報を含んでいる。発光指示情報生成部６０４は、具体的には、たとえば図５に示したＲＡＭ５０２、ＲＯＭ５０３、ＨＤ５０４などの記憶手段に記憶されたプログラムをＣＰＵ５０１が実行することによってその機能を実現することができる。
【００３４】
送信部６０５は、発光指示情報生成部６０４によって生成された発光指示情報を、各電柱１０２宛にネットワーク１００を経由して、通信線３０６を介して送信する。送信部６０５は、発光指示情報生成部６０４によって生成され次第、発光指示情報を送信してもよく、発光指示情報の発光開始日時情報を検索し、発光開始日時が所定の時間以内のもののみを送信するようにしてもよい。送信部６０５は、具体的には、たとえば図５に示したＩ／Ｆ５０６などによってその機能を実現することができる。
【００３５】
図８は、この発明の実施の形態にかかる街灯システムのサーバの処理の手順を示すフローチャートである。図８のフローチャートにおいて、所定の時刻になったか否かを判断し（ステップＳ８０１）、所定の時刻になった場合（ステップＳ８０１：Ｙｅｓ）は、抽出部６０３が、発光情報データベース６０２から発光情報を抽出する（ステップＳ８０２）。
【００３６】
つぎに、発光指示情報生成部６０４が、抽出された発光情報に基づいて、発光指示情報を生成する（ステップＳ８０３）。そして、送信部６０５が、生成された発光指示情報を上述したような所定のタイミングで送信し（ステップＳ８０４）、一連の処理を終了する。
【００３７】
（街灯システムの具体例）
図９および図１０は、電柱への発光部材の取り付けの内容を示す説明図である。図９において、シート状の発光部材１０３は、電柱１０２の形状にあわせてまるめられて電柱１０２の所定の高さに巻き付けるようにして設置する。そして、図１０に示すように、留め具１００１によって、発光部材１０３の両端を固定する。シート状の発光部材１０３のまるめられた内側には接着部材を用いて、電柱１０２に固定することで、発光部材１０３が、ずり落ちたり、容易に回転しないようにする。また、図示は省略するが、電柱１０２に取り付けてある機器などにも発光部材１０３を貼り付けるようにしてもよい。
【００３８】
図１１および図１２は、発光部材１０３が取り付けられた電柱１０２の態様を示す説明図である。図１１は、電柱１０２の多くの部分を覆うような長いシート状の発光部材１０３が取り付けられた状態を示しており、図１２は、電柱１０２を複数のシート状の発光部材１０３で覆うように取り付けられた状態を示している。図１２の２つの発光部材１０３は、それぞれ独立に制御され、異なる明るさ、色、点灯（発光）方法によって、点灯（発光）させることができる。
【００３９】
また、図１１の発光部材１０３も、発光制御することによって領域によって明るさ、色、点灯（発光）方法をそれぞれ変えることができる。これによって、発光方向なども電柱１０２ごとに任意に設定することができる。また、発光部材１０３に有機ＥＬディスプレイなどを用いることで、文字や画像を表示することができ、街灯として機能するだけでなく、広告や案内表示をすることもできる。特に、日中は、広告や案内表示として、夜間は街灯として、効率的に活用することができる。
【００４０】
また、上記例では、発光部材１０３を電柱１０２に巻き付けて設置したが、電柱１０２だけでなく、電線などに電線に巻き付けるようにしてもよい。これによって、電線に沿った街灯を実現することができる。
【００４１】
また、発光部材１０３は、電力線３０５から電力の供給を受けるように構成したが、それには限らず、バッテリーユニットや太陽電池を備えて、電力線３０５からの電力の供給を受けることなく、発光できるようにしてもよい。また、発光部材１０３は、通信線３０６によって表示制御信号を受信するように構成したが、それには限らず、通信線３０６を用いることなく、無線通信ユニットを備えて、当該通信ユニットによって表示制御信号を受信するようにしてもよい。
【００４２】
以上説明したように、この実施の形態の街灯システムによれば、サーバ１０１が、電柱１０２ごとの発光情報を記憶する発光情報データベース６０２と、発光情報データベース６０２に記憶された発光情報に基づいて、各電柱１０２に対して発光指示情報を送信する送信部６０５と、を備え、電柱１０２が、電力線３０５からの電力の供給によって発光する発光部材１０３と、サーバ１０１から通信線３０６を介して発光部材１０３の発光指示情報を受信する受信部３０１と、受信部３０１によって受信された発光指示情報に基づいて、発光部材１０３を発光させる発光制御部３０２と、を備えたので、サーバ１０１から、点灯箇所の電柱、発光箇所、発光時間を任意に指示することができる。
【００４３】
また、この実施の形態の街灯システムによれば、発光部材１０３は、折り曲げ可能なシート状の部材からなり、電柱１０２に巻き付けて固定するので、サーバ１０１から、電柱１０２ごとに、発光位置、発光方向を任意に指示することができる。また、台風などの妙風の風圧にも耐えることができる。
【産業上の利用可能性】
【００４４】
以上のように、本発明にかかる街灯システムは、電柱の表面を発光させて街灯とするのに有用であり、特に、エコを考慮した街灯とするのに適している。
【符号の説明】
【００４５】
１００  ネットワーク
１０１  サーバ
１０２（１０２ａ、１０２ｂ、１０２ｃ）  電柱
１０３（１０３ａ、１０３ｂ、１０３ｃ）  発光部材
３０１  受信部
３０２  発光制御部
３０５  電力線
３０６  通信線
６０１  入力部
６０２  発光情報データベース
６０３  抽出部
６０４  発光指示情報生成部
６０５  送信部
１００１  留め具
【図１】
2010244906.tif 000003
【図２】
2010244906.tif 000004
【図３】
2010244906.tif 000005
【図４】
2010244906.tif 000006
【図５】
2010244906.tif 000007
【図６】
2010244906.tif 000008
【図７】
2010244906.tif 000009
【図８】
2010244906.tif 000010
【図９】
2010244906.tif 000011
【図１０】
2010244906.tif 000012
【図１１】
2010244906.tif 000013
【図１２】
2010244906.tif 000014